(57)【特許請求の範囲】
【請求項１】
外装部材を被取付部材に取り付ける外装部材の取付構造において、
前記外装部材の非露出面部分と該非露出面部分に対向する前記被取付部材の取付部分とに、係合部と固着部とをそれぞれ備え、
前記被取付部材の一部の個所に外部に連通する間隙を有し、
前記固着部は前記係合部より前記間隙側にあり、該係合部は外装部材と被取付部材との少なくとも離間方向の移動を規制するように係合し、前記固着部は前記間隙を介して外装部材と被取付部材との内側から該外装部材と被取付部材とを固着可能となるように設けられていることを特徴とする外装部材の取付構造。
【請求項２】
前記係合部と前記固着部が前記外装部材及び／または前記被取付部材の凹部において形成され、該外装部材と被取付部材が略密着されるように構成したことを特徴とする請求項１記載の外装部材の取付構造。
【請求項３】
前記係合部は、前記外装部材を前記被取付部材に対して摺動させることで係合する構造であって、該係合部における摺動方向の軸上に前記固着部が配置されていることを特徴とする請求項１または２記載の外装部材の取付構造。
【請求項４】
前記外装部材は鍵盤楽器の天板であり、前記被取付部材は該鍵盤楽器の両側部に配置された腕木であり、前記固着部は前記係合部よりも鍵盤側にあり、該天板と腕木の当接部の前記鍵盤側から固着部が固着可能にされていることを特徴とする請求項１、２、または３記載の外装部材の取付構造。
【発明の詳細な説明】
【０００１】
【発明の属する技術分野】
本発明は、家具や鍵盤楽器等における外装部材の取付構造に関する。
【０００２】
【従来の技術】
従来、例えばピアノ、オルガン、電子ピアノ、あるいは電子オルガンなどの特に高級機種の鍵盤楽器においては、外装部材として木材が用いられており、その表面に塗装処理が施されている。この外装部材は、天板や腕木などを外から木ネジで固着して組み立てられている。また、家具などにおいても木ネジで外装部材を固着して組み立てられるのが一般的である。
【０００３】
【発明が解決しようとする課題】
しかし、このように外からネジ止めすると、見栄えが良くないという問題がある。また、組み立て作業も難しく、さらに、電子鍵盤楽器などにおいては、外装部材を一部取り外してメンテナンスするのが困難である。
【０００４】
本発明は、見栄えがよく、組み立て易く、取り外しも比較的容易となる外装部材の取付構造を提供することを課題とする。
【０００５】
【課題を解決するための手段】
本発明の請求項１の外装部材の取付構造は、外装部材を被取付部材に取り付ける外装部材の取付構造において、前記外装部材の非露出面部分と該非露出面部分に対向する前記被取付部材の取付部分とに、係合部と固着部とをそれぞれ備え、前記被取付部材の一部の個所に外部に連通する間隙を有し、前記固着部は前記係合部より前記間隙側にあり、該係合部は外装部材と被取付部材との少なくとも離間方向の移動を規制するように係合し、前記固着部は前記間隙を介して外装部材と被取付部材との内側から該外装部材と被取付部材とを固着可能となるように設けられていることを特徴とする。
【０００６】
請求項１の外装部材の取付構造によれば、係合部により外装部材と被取付部材とが少なくとも離間方向の移動が規制され、固着部により外装部材と被取付部材とが固着される。この固着部は、被取付部材の一部の個所に有する外部に連通する間隙を介して外装部材と被取付部材との内側から該外装部材と被取付部材とを固着可能となっているので、外観形状に影響せず見栄えもよくなる。また、固着部だけ固着すればよいので、組み立て易く、取り外しも容易になる。
【０００７】
本発明の請求項２の外装部材の取付構造は、請求項１の構成を備え、前記係合部と前記固着部が前記外装部材及び／または前記被取付部材の凹部において形成され、該外装部材と被取付部材が略密着されるように構成したことを特徴とする。
【０００８】
請求項２の外装部材の取付構造によれば、請求項１と同様な作用効果が得られるとともに、外装部材が被取付部材に略密着されるので、側面から見ても見栄えがよくなり、例えば外装部材を被取付部材に載せる構成とすることができ、外装部材の重量が大きくても位置だし作業などがし易くなる。
【０００９】
本発明の請求項３の外装部材の取付構造は、請求項１または２の構成を備え、前記係合部は、前記外装部材を前記被取付部材に対して摺動させることで係合する構造であって、該係合部における摺動方向の軸上に前記固着部が配置されていることを特徴とする。
【００１０】
請求項３の外装部材の取付構造によれば、請求項１または２と同様な作用効果が得られるとともに、例えば腕木などのように、両側に平行に配置する被取付部材の各々一つの部材に、係合部と固着部を形成することができるので、被取付部材の設計や形成作業などが容易になる。
【００１１】
本発明の請求項４の外装部材の取付構造は、請求項１、２、または３の構成を備え、前記外装部材は鍵盤楽器の天板であり、前記被取付部材は該鍵盤楽器の両側部に配置された腕木であり、前記固着部は前記係合部よりも鍵盤側にあり、該天板と腕木の当接部の前記鍵盤側から固着部が固着可能にされていることを特徴とする。
【００１２】
請求項４の外装部材の取付構造によれば、請求項１、２、または３と同様な作用効果が得られるとともに、天板を腕木に取り付ける取付構造に適用しているので、天板を腕木に載置するという構成を採用することができ、比較的重量のある天板の取付作業が容易となり、また、スライド蓋を有する鍵盤楽器に適用してスライド蓋と天板との隙間を固着用に利用することができる。
【００１３】
【発明の実施の形態】
図３は本発明の実施形態の外装部材の取付構造を適用した電子鍵盤楽器の一例を示す一部分解斜視図であり、同図は主に外装部材を示している。なお、この鍵盤楽器において、演奏時に演奏者が立つあるいは座る側（鍵盤側）を「手前側」または「前部」あるいは「前方」とし、その反対側を「奥側」または「後部」あるいは「後方」とする。また、前部と後部を結ぶ方向を前後方向、これに直角な方向を左右方向とする。
【００１４】
この電子鍵盤楽器には、両側の２つの腕木１、天板２、前面枠３、及び背面板４が外装部材材として用いられており、これらの外装部材は木製で所定の塗装処理等が施されている。両側の腕木１は、手前側端部１ａが奥側端部１ｂより高さが低くなっており、この腕木１の上端部は、奥側端部１ｂから前部に向かって水平に伸びる天板取付部１ｃと、この天板取付部１ｃから手前側端部１ａまで傾斜して伸びる傾斜部１ｄとで形成されている。
【００１５】
また、腕木１，１の手前端部１ａ，１ａ間には前面枠３が取付られるとともに、腕木１，１の奥側端部１ｂ，１ｂ間には外側に僅かに湾曲した背面板４が取り付けられている。なお、背面板４は合板製で曲げ加工を施したものである。さらに、腕木１，１、前面枠３、及び背面板４の下端部は図示しない底フレームに固定されている。そして、後述するように、実施形態の取付構造を適用して、両腕木１，１の天板取付部１ｃ，１ｃと背面板４の上端部４ａに載置するように天板２が取り付けられる。
【００１６】
両腕木１，１の傾斜部１ｄ，１ｄ、及び前面枠３で囲われた空間には、鍵盤装置１０及び操作表示パネル２０等が収納されるとともに、この鍵盤装置１０及び操作表示パネル２０の上部には、複数の長尺板を連結することで本体内に巻き込み可能とした鎧戸状のスライド蓋３０が配設されている。そして、スライド蓋３０は、腕木１の内側に固定されたガイドレール４０上を移動可能にされている。なお、底フレームの下には複数のスピーカにより本体下部からも放音するためのスピーカボックス５０が取り付けられ、さらに、底フレームには前脚６０及び後脚７０が取り付けられ、後脚７０にはペダル装置８０が取り付けられている。
【００１７】
また、後述詳細に説明するように、腕木１の天板取付部１ｃには、奥側に第１凹部１１が形成され、手前側に第２凹部１２が形成されている。また、天板２の裏面には、第１凹部１１に対向する位置に係合ネジ２１が取り付けられ、第２凹部１２に対向する位置に固定ネジ切板２２が取り付けられている。さらに、背面板４の内側中央には端部が断面コ字状の係合金具４１が取り付けられ、天板２の裏面中央端部には背面板４の係合金具４１に係合する端部が断面コ字状の係合金具２４が取り付けられている。
【００１８】
図１は実施形態における取付構造部の平面図及び内側面図、図２は同取付構造部の拡大斜視図である。なお、図１(A) の平面図では、天板２側の部材及び固着用ネジを一点鎖線で図示するとともに、図１(A) ，(B) は共にガイドレール４０の取付構造部分を省略してある。また、図１、図２では楽器本体に向かって右側の取付構造について図示してあるが、左右の取付構造は互いに面対象の関係にある以外は同一であり、以後、主に片側の構造について説明する。
【００１９】
第１凹部１１は、天板取付部１ｃの長手方向すなわち前後方向を長手とする形状に形成されており、この第１凹部１１の底部の後方は縦断面形状が１／４円弧状の傾斜面１１ａとされている。そして、第１凹部１１の底部にはガイド金具１３がネジ止めにより取り付けられている。ガイド金具１３は、第１凹部１１の底部から立ち上げられた水平なフレーム部１３ａを有し、このフレーム部１３ａには前後方向を長手方向とするガイド溝１３ｂが形成されている。ガイド金具１３の前記傾斜面１１ａ側の立ち上げ部にはガイド溝１３ｂより幅の広いガイド口１３ｃが形成されており、ガイド溝１３ｂの一端はガイド口１３ｃに繋がり、ガイド溝１３ｂの他端は円弧状の固定端部１３ｂ−１とされている。さらに、ガイド溝１３ｂの周縁部１３ｂ−２は、ガイド口１３ｃ側から他端にかけて第１凹部１１の底部までの距離が短くなるように僅かに傾斜して形成されている。
【００２０】
また、天板２の係合ネジ２１はネジ山２１ａの端部にフランジ２１ｂを有し、この係合ネジ２１はフランジ２１ｂが天板２の裏面に当接するまで天板２にねじ込まれている。また、フランジ２１ｂとネジ頭２１ｃとの間に間隙ｄが設けられ、ネジ頭２１ｃは天板２の裏面から突出した位置にある。なお、前記ガイド金具１３のガイド開口１３ｃの幅は、係合ネジ２１のネジ頭２１ｃの径より広くなっている。また、ガイド溝１３ｂの幅は、ネジ頭２１ｃの径より狭く、かつ、係合ネジ頭２１ｃとフランジ２１ｂとの間のボス部２１ｄ（図２参照）が僅かなクリアランスを持って係合するような幅になっている。
【００２１】
第２凹部１２には、天板２の固定ネジ切板２２に対応する位置に固着板１４が取り付けられている。また、第２凹部１２により本体手前側に壁体１２ａが形成されており、本体手前側から固着板１４が目隠しされる。天板２の固定ネジ切板２２と第２凹部１２の固着板１４はそれぞれＬ型形状をしており、この固定ネジ切板２２と固着板１４は、その立設部２２ａ，１４ａが前後方向に対して略４５°の同角度を成すように、それぞれ斜めにネジ止めにより取り付けられている。なお、固定ネジ切板２２は、天板２の裏面に形成された凹部２３内に取り付けられている。
【００２２】
固着板１４の立設部１４ａには、固着用ネジ１５が挿入できる透孔（バカ孔）１４ｂ（図２参照）が形成されている。また、固定ネジ切板２２の立設部２２ａには、固着用ネジ１５が螺合する雌ネジ孔２２ｂ（図２参照）が形成されている。
【００２３】
以上の構成により、天板２は腕木１の天板取付部１ｃに対して次のように取り付けられる。天板２を水平にし、係合ネジ２１が第１凹部１１の略傾斜面１１ａの位置となるようにして、天板取付部１ｃに載置する。このとき、係合ネジ２１のネジ頭２１ｃが第１凹部１１の傾斜面１１ａに当接して自重で滑ってガイド金具１３側に自ずと移動する。このとき、係合ネジ２１はガイド金具１３と傾斜面１１ａとの間にあり、また、固定ネジ切板２２の立設部２２ａと固着板１４の立設部１４ａとは距離をおいて斜めに対向している。なお、水平方向の位置出しは、天板２の左右端面と腕木１，１の外側端面とが同程度に一致するようにすればよい。
【００２４】
この状態で、天板２を手前側にスライドさせると、係合ネジ２１のネジ頭２１ｃがガイド金具１３のガイド口１３ｃ内に挿入され、さらに、係合ネジ２１のネジ頭２１ｃとフランジ２１ｂとの間のボス部２１ｄが、ガイド金具１３のガイド溝１３ｂ内に嵌合される。さらに天板２を手前に引くと、係合ネジ２１のボス部２１ｄがガイド溝１３ｂの固定端部１３ｂ−１に当接する。このとき、固定ネジ切板２２の立設部２２ａと固着板１４の立設部１４ａとは、接触するかしない程度に接近して対面するようになっている。
【００２５】
ここで、図１(B)、図２、及び図３のようにスライド蓋３０が閉じられているとき、スライド蓋３０の奥側上端部と天板２の下面との間には図１(B)及び図２ に示した間隙Ｄが形成される。また、スライド蓋３０が開けられてガイドレール４０の上にあるときも、スライド蓋３０の上面と天板２の下面との間にも隙間Ｄが形成される。そこで、この間隙Ｄから固着用ネジ１５とドライバを挿入し、固着用ネジ１５を、固着板１４の透孔１４ｂを介して固定ネジ切板２２の雌ネジ孔２２ｂに螺合してネジ止めする。左側の取付構造部でも同様にネジ止めする。なお、固着用ネジ１５を挿入するときはマグネット式のドライバを用いると作業がし易くなる。
【００２６】
この実施形態では、背面板４に係合金具４１が、また、天板２には係合金具２４が取り付けられており、天板２を天板取付部１ｃに載置し、天板２を手前側にスライドさせ、固着用ネジ１５でネジ止めすることにより、図４に示したように、天板２の係合金具２４が係合金具４１に係合する。これにより、背面板４が確実に固定される。
【００２７】
また、メンテナンス等により天板２を取り外すときは、間隙Ｄからドライバにより固着用ネジ１５を外し、天板２を後方にスライドして持ち上げるだけで取り外すことができる。
【００２８】
以上のように、この実施形態では、天板２が「外装部材」、腕木１が「被取付部材」、天板２の裏面が「非露出面部分」、天板取付部１ｃが「被取付部材の取付部分」、第１凹部１１のガイド金具１３と天板２の係合ネジ２１が「係合部」、第２凹部１２の固定ネジ切板２２と天板２の固定ネジ切板２２と固着用ネジ１５が「固着部」にそれぞれ対応している。そして、ガイド金具１３と係合ネジ２１は腕木１と天板２の離間方向（上下方向）の移動を規制するように係合している。また、スライド蓋３０の上面と天板２の下面との間の隙間Ｄにより、天板２と腕木１との内側からこの天板２と腕木１とを固着可能になっている。
【００２９】
したがって、一つの取付構造部において、手前側から一箇所をネジ止めするだけでよいので、作業が取付作業、あるいは取外し作業が容易になる。
【００３０】
実施形態では、係合ネジ２１のボス部２１ｄがガイド溝１３ｂの固定端部１３ｂ−１に当接し、天板２側の固定ネジ切板２２と腕木１側の固着板１４の立設部２２ａとが接触するかしない程度に接近して対面するようにな構成としているが、これらの立設部２２ａ，１４が当接し、係合ネジ２１のボス部２１ｄがガイド溝１３ｂの固定端部１３ｂ−１に当接しないような構成としてもよい。また、各部材の取付位置精度を高めて、立設部２２ａ，１４が当接し、さらに係合ネジ２１のボス部２１ｄとガイド溝１３ｂの固定端部１３ｂ−１が当接するような構成としてもよい。
【００３１】
実施形態では、係合部の第１凹部１１と固着部の第２凹部１２が腕木１を刳り抜いて形成されているので、天板２の裏面と天板取付部１ｃとを略密着させることができ、側面から見ても見栄えがよくなる。また、天板２の裏面と天板取付部１ｃとを略密着させる構成、すなわち天板２を腕木１に載せるだけでよいので、位置だし作業などがし易くなる。なお、係合部及び固着部の凹部は天板２に形成してもよいし、腕木１と天板２の両方に形成してもよい。
【００３２】
また、実施形態では、係合部において、係合ネジ２１をガイド金具１３に差し込み、摺動（スライド）させることで係合ネジ２１とガイド金具１３が係合されるような構造になっているが、これに限らず、天板２が腕木１から上方に外れないように係合する構成であればよい。
【００３３】
また、実施形態では、係合部（ガイド金具１３と係合ネジ２１）における摺動方向の軸上に固着部（立設部２２ａ，１４）があるので、腕木１，１のように両側に平行に配置する部材の各々一つの部材に、この係合部と固着部を形成することができるので、例えば、腕木１，１の第１凹部１１と第２凹部の設計や形成作業など、係合部と固着部の設計や形成作業が容易になる。
【００３４】
また、固着部は立設部２２ａ，１４を固着用ネジ１５でネジ止めするだけでよいので固着作業が容易になる。
【００３５】
また、固着部において立設部２２ａ，１４は斜めになっているので、壁体１２ａにより本体手前側から固着板１４を目隠ししながら、固着用ネジ１５によるネジ止め作業が容易になる。なお、固着用ネジ１５によるネジ止め作業ができる範囲内であれば、立設部２２ａ，１４の向きはどのような向きでもよい。
【００３６】
なお、実施形態では、両腕木１，１にそれぞれ固着部と係合部とを一組ずつ設けているが、固着部と係合部は合わせて３つ以上あればよい。例えば、実施形態では背面板４の中央を天板２で固定するようにしているが、背面板４と天板２との間に係合部を設け、両腕木１，１にそれぞれ固着部を一つずつ設けるようにしてもよい。
【００３７】
また、実施形態では、天板２を腕木１，１に取り付ける取付構造に適用しているので、天板２を腕木１，１に載置するという構成を採用することができ、比較的重量のある天板２の取付作業が容易となるという、好適な実施形態となっている。ただし、鍵盤楽器に限らず他の外装部材を取り付ける場合に適用できることはいうまでもない。
【００３８】
また、固着部は、立設部２２ａ，１４を備えているので、こららの立設部２２ａ，１４が当接するようにした場合、ストッパ及び位置出しの役割を持たせることができる。
【００３９】
また、実施形態では、スライド蓋３０を有する鍵盤楽器に適用しているので、このスライド蓋３０と天板２との隙間Ｄを固着用に利用することができ、特別な開口などを設ける必要がなく、好適な実施形態となっている。
【００４０】
また、実施形態では、係合部の第１凹部１１が、天板取付部１ｃの前後方向を長手方向とする形状になっており、傾斜面１１ａからガイド金具１３のガイド口１３ｃまでの距離を広く取られているので、係合ネジ２１を挿入し易く、取付作業が容易になる。
【００４１】
また、実施形態では、第１凹部１１に傾斜面１１ａが形成されているので、係合ネジ２１のネジ頭２１ｃが第１凹部１１の傾斜面１１ａに当接して自重で滑ってガイド金具１３側に自ずと移動し、取付作業が容易になる。
【００４２】
なお、実施形態の図１(B) では天板２と腕木１との間に僅かな隙間があるが、完全に密着させてもよい。
【００４３】
以上の実施形態は鍵盤楽器の例について説明したが、この鍵盤楽器はアコースティックの鍵盤楽器でもよいし電子鍵盤楽器でもよい。
【００４４】
また、本発明は鍵盤楽器に限らず、例えば家具などの組み付け構造に適用することもできる。例えば家具の天板を側面板の上面に取り付ける部分に適用してもよい。この場合、最上段の引き出しや引き戸などを開けることによって、手前側の固着部でネジ止め等を容易に行うことができる。
【００４５】
【発明の効果】
請求項１の外装部材の取付構造によれば、被取付部材の一部の個所に有する外部に連通する間隙を介して外装部材と被取付部材との内側から該外装部材と被取付部材とを固着可能となっているので、外観形状に影響せず見栄えもよくなり、また、固着部だけ固着すればよいので、組み立て易く、取り外しも容易になる。
【００４６】
請求項２の外装部材の取付構造によれば、請求項１と同様な効果が得られるとともに、外装部材が被取付部材に略密着されるので、側面から見ても見栄えがよくなり、例えば外装部材を被取付部材に載せる構成とすることができ、外装部材の重量が大きくても位置だし作業などがし易くなる。
【００４７】
請求項３の外装部材の取付構造によれば、請求項１または２と同様な効果が得られるとともに、例えば腕木などのように、両側に平行に配置する被取付部材の各々一つの部材に、係合部と固着部を形成することができるので、被取付部材の設計や形成作業などが容易になる。
【００４８】
請求項４の外装部材の取付構造によれば、請求項１、２、または３と同様な効果が得られるとともに、天板を腕木に取り付ける取付構造に適用しているので、天板を腕木に載置するという構成を採用することができ、比較的重量のある天板の取付作業が容易となり、また、スライド蓋を有する鍵盤楽器に適用してスライド蓋と天板との隙間を固着用に利用することができる。
【図面の簡単な説明】
【図１】本発明の実施形態における取付構造部の平面図及び内側面図である。
【図２】同取付構造部の拡大斜視図である。
【図３】本発明の実施形態の外装部材の取付構造を適用した電子鍵盤楽器の一例を示す一部分解斜視図である。
【図４】本発明の実施形態における天板に背面板を固定する部分を示す側面図である。
【符号の説明】
１…腕木（被取付部材）、２…天板（外装部材）、１ｃ…天板取付部、１１…第１凹部、１２…第２凹部、１３…ガイド金具、１４…固着板、２１…係合ネジ、２２…固定ネジ切板、１５…固着用ネジ
【図１】
0003636090.tif 000002
【図２】
0003636090.tif 000003
【図３】
0003636090.tif 000004
【図４】
0003636090.tif 000005